(57)【特許請求の範囲】
【請求項１】
前身頃及び後身頃の肩部からバスト部を含む上部領域および前記上部領域から下側の下部領域を備えた上半身用衣類であって、前記上部領域が弾性糸を含まない糸または前記下部領域において用いられる弾性糸よりも繊度の小さい弾性糸で編成されており、前記下部領域が前記上部領域において用いられる弾性糸よりも繊度の大きい弾性糸に切り替えて編成されており、前記下部領域において用いられる弾性糸はポリウレタン糸を芯糸としその周囲を別の糸で被覆したカバリングヤーンで構成され、
前記上部領域と下部領域は、バージスラインの最下点付近を糸の切替位置とされ、
前記下部領域の下端である裾部における前身頃及び後身頃は、他の下部領域よりも繊度の大きい弾性糸で構成されていることを特徴とする上半身用衣類。
【請求項２】
前記上部領域及び下部領域で構成される身頃生地は円筒生地から裁断されており、前記円筒生地はフライス編機のガーメントレングス編機により編成されていることを特徴とする請求項１に記載の上半身用衣類。
【発明の詳細な説明】
【技術分野】
【０００１】
本発明は、上半身用衣類の改良に関するものである。
【背景技術】
【０００２】
一般に、婦人用アンダーシャツなどの上半身用衣類においては、ボディー各部にフィットして美しいシルエットを出せることが要望されている。
この要望に対して、従来、同一種類の糸を使用し、ボディー各部に応じて編組織を変えることによって異なる着圧（締付力）を付与して着用者の体形にフィットさせるようにしたものが提案されている（例えば、特許文献１参照）。
【先行技術文献】
【特許文献】
【０００３】
【特許文献１】特開平９−５９８０６号公報
【発明の概要】
【発明が解決しようとする課題】
【０００４】
しかしながら、特許文献１のものは、同一種類の糸を使用するものであるため、次のような問題点がある。
例えば、フィット性を付与するために弾性糸を含む糸によって編成した場合、着用状態で肩部やバスト部に強い着圧が作用することになり、この状態で腕を上げ下げした際、肩部やバスト部にさらに強い緊迫力が発生して動きを妨げる傾向があり、しかも、肩部及びバスト部に繋がる脇下部及び胴部の身頃生地を引き上げることにもなるため、身頃の裾のずれ上がりが生じ、これによってウエスト周辺やバスト下部付近に生地の弛みや皺よりが発生してシルエットが崩れるという不具合がある。
【０００５】
また、弾性糸を含まない他の糸によって編成した場合、単に編組織を変化させただけでは、限界があるためバスト部を含む上部領域やバスト部より下方の胴部及びウエスト部並びにヒップ部などの下部領域に対して十分なフィット性が出せない不具合がある。
本発明は、従来のものの上記問題点に鑑みて開発されたものであって、その目的とするところは、腕の上げ下げを楽にすると共に、裾のずれ上がりを防止してシルエットの崩れを抑制し、着用者の体形にフィットして着心地のよい上半身用衣類を提供することにある。
【課題を解決するための手段】
【０００６】
前記目的を達成するために本発明は、前身頃及び後身頃の肩部からバスト部を含む上部領域および前記上部領域から下側の下部領域を備えた上半身用衣類であって、前記上部領域が弾性糸を含まない糸または前記下部領域において用いられる弾性糸よりも繊度の小さい弾性糸で編成されており、前記下部領域が前記上部領域において用いられる弾性糸よりも繊度の大きい弾性糸に切り替えて編成されていることを特徴としている。
【０００７】
この構成によれば、上部領域が弾性糸を含まない糸または前記下部領域において用いられる弾性糸よりも繊度の小さい弾性糸で編成されているため、肩部やバスト部を含む上部領域への着圧を低くしてソフトにフィットさせることができ、これに対して、下部領域が前記上部領域において用いられる弾性糸よりも繊度の大きい弾性糸で編成されているため、バスト部から下側の胴部やウエスト部及びヒップ部などの下部領域への着圧を高くしてフィット性を十分に付与させることができる。
【０００８】
その結果、着用状態で肩部やバスト部を含む上部領域に対する圧迫感をなくして自然な着心地が得られると共に、腕を上げ下げした際、肩部やバスト部に強い緊迫力が働くことも防止でき、動きを妨げることが少なく楽に動かすことができる。しかも、腕を上げた際、肩部やバスト部に強い引き上げ力が作用することもないため、下部領域に強い引き上げ力が波及せず、裾部のずれ上がりを防止することができ、ウエスト周辺やバスト下部付近に生地の弛みや皺よりが発生することを回避でき、シルエットの崩れを抑制し、着用者の体形にフィットして着心地のよい上半身用衣類を提供することができる。
【０００９】
前記上部領域と下部領域は、バージスラインの最下点付近を切替位置として、切り替えられていればよい。なお、バージスラインとは、乳房の下輪郭に相当するラインのことであって、本発明において、このラインより上には、バスト部が前方に膨出しているため、腕の上げ下げ時にバスト部も上下し、これによって、身頃生地の肩部及びバスト部には引き上げ力が作用するが、これらの部分を含む上部領域を弾性糸を含まない糸または下部領域において用いられる弾性糸よりも繊度の小さい弾性糸で編成して着圧を低くし、ソフトにフィットさせるようにしているため、これらの動きを妨げることが抑制され、しかも、下部領域に引き上げ力が波及することを緩和させることができる。そして、下部領域は上部領域において用いられる弾性糸よりも繊度の大きい弾性糸で編成してフィット性を高めているため、裾部のずれ上がりを少なくし、シルエットの崩れを抑制することができる。
【００１０】
また、前記下部領域となる下端は、裾部とされ、この裾部は、他の下部領域よりも繊度の大きい弾性糸で構成されているのが好ましい。これにより、裾部のずり上がりだけでなく、捲れ上がりを防止することができる。
さらに、前記上部領域及び下部領域で構成される身頃生地は円筒生地から裁断されており、前記円筒生地はフライス編機のガーメントレングス編機により編成されていてもよい。この構成によれば、量産化によるコストダウンが可能となる。
【発明の効果】
【００１１】
本発明によれば、腕の上げ下げを楽にすると共に、裾のずれ上がりを防止してシルエットの崩れを抑制し、着用者の体形にフィットして着心地のよい上半身用衣類を提供することができる。
【図面の簡単な説明】
【００１２】
【図１】本発明に係る上半身用衣類の一実施形態を示す正面図である。
【発明を実施するための形態】
【００１３】
以下、本発明に係る上半身用衣類の実施形態を図面を参照して説明する。
図１は、婦人用アンダーシャツに本発明を適用した実施形態を例示しており、前身頃１と後身頃２と袖部３とを備えている。
前身頃１と後身頃２は、肩部４からバスト部５を含む上部領域６が弾性糸を含まない糸、例えば、綿糸、絹糸、ポリエステル糸、その他、弾性糸以外の糸または下部領域７において用いられる弾性糸よりも繊度の小さい弾性糸で編成されており、この上部領域６よりも下側の下部領域７が上部領域６において用いられる弾性糸よりも繊度の大きい弾性糸で編成されている。
【００１４】
前記上部領域６と下部領域７の境目である糸の切替位置８は、この種、上半身衣類の標準体形の規格サイズにおけるバージスライン１０の最下点付近に設定されているのが好ましく、この位置が、バージスライン１０の最下点より上になると、バスト部５への着圧が強くなり、また、低くなると、バスト部より下側の胴部やウエスト部などの下部領域７に対するフィット性が低下するので好ましくないため、婦人用アンダーシャツの標準体形の規格サイズにおけるバストトップ部から所定寸法下方の位置、例えば、約２〜６ｃｍ下方の位置とされる。
【００１５】
また、前記下部領域７となる下端は、裾部９とされ、この裾部９は、他の下部領域７よりも繊度の大きい弾性糸で構成されているのが好ましい。
そして、下部領域７に用いられている弾性糸は、ポリウレタン糸を芯糸とし、その周囲を別の糸（例えば、ナイロンフィラメント糸）で被覆したＳＣＹ（シングルカバリングヤーン）で構成されているのが好ましい。この弾性糸としては、例えば、１０〜４０デシテックスのポリウレタン糸に３０〜９０デシテックスのナイロンフィラメント糸をカバリングしたものが使用される。
【００１６】
前身頃１及び後身頃２は、丸編機で筒状に編成され、その際、上部領域６が前記弾性糸以外の糸（例えば、綿糸）または下部領域７において用いられる弾性糸よりも繊度の小さい弾性糸で編成され、下部領域７については、上部領域６において用いられる弾性糸よりも繊度の大きい弾性糸に切り替えて編成され、裾部９については、さらに繊度の大きい弾性糸に切り替えて編成される。なお、裾部９は、必ずしも繊度大きい弾性糸に切り替えて編成しなくても下部領域７と同じ繊度の弾性糸で編成してもよい。
【００１７】
前身頃１及び後身頃２に対して、袖部３は、別に生地取り裁断されて脇刳り部に縫着などで取り付けられている。
前身頃１及び後身頃２の編組織は、特に制約がなく、例えば、平編み、フライス編み（１／１ゴム編み）、その他の編組織を適宜採用することができる。
前身頃１及び後身頃２を丸編機で編成すれば、両者の縫い合わせを省略することができると共に、上部領域６と下部領域７を一連に編成することができるため、これらの領域に対する縫製などの接合工程を省略することができ、段差の発生も回避できる。
【００１８】
具体的には、前記上部領域６及び下部領域７で構成される身頃生地は円筒生地から裁断されており、前記円筒生地はフライス編機のガーメントレングス編機により編成されている。
以上説明したように、本発明に係る上半身用衣類の実施形態によれば、上部領域６が弾性糸を含まない糸または下部領域７において用いられる弾性糸よりも繊度の小さい弾性糸で編成されているため、肩部４やバスト部５を含む上部領域６への着圧を低くしてソフトにフィットさせることができ、これに対して、下部領域７が上部領域６において用いられる弾性糸よりも繊度の大きい弾性糸で編成されているため、バスト部５から下側の胴部やウエスト部及びヒップ部などの下部領域７への着圧を高くしてフィット性を十分に付与させることができる。
【００１９】
その結果、着用状態で肩部４やバスト部５を含む上部領域６に対する圧迫感をなくして自然な着心地が得られると共に、腕を上げ下げした際、肩部４やバスト部５に強い緊迫力が働くことも防止でき、動きを妨げることが少なく楽に動かすことができる。しかも、腕を上げた際、肩部４やバスト部５に強い引き上げ力が作用することもないため、下部領域７に強い引き上げ力が波及せず、裾部９のずれ上がりを防止することができ、ウエスト周辺やバスト下部付近に生地の弛みや皺よりが発生することを回避でき、シルエットの崩れを抑制し、着用者の体形にフィットして着心地のよい上半身用衣類を提供することができる。
【００２０】
前記上部領域６と下部領域７の境目である糸の切替位置８は、バージスライン１０の最下点付近に設定されていればよい。このバージスライン１０の最下点より上には、バスト部５が前方に膨出しているため、腕の上げ下げ時にバスト部５も上下し、これによって、身頃生地の肩部４及びバスト部５には引き上げ力が作用するが、これらの部分を含む上部領域６を弾性糸を含まない糸または下部領域７において用いられる弾性糸よりも繊度の小さい弾性糸で編成して着圧を低くし、ソフトにフィットさせるようにしているため、これらの動きを妨げることが抑制され、しかも、下部領域７に引き上げ力が波及することを緩和させることができる。そして、下部領域７は上部領域６において用いられる弾性糸よりも繊度の大きい弾性糸で編成してフィット性を高めているため、裾部９のずれ上がりを少なくし、シルエットの崩れを抑制することができる。
【００２１】
また、前記下部領域７となる下端は、裾部９とされ、この裾部９は、他の下部領域７よりも繊度の大きい弾性糸で構成されているのが好ましい。これにより、裾部９のずり上がりだけでなく、捲れ上がりを一防止することができる。
さらに、前記弾性糸は、ポリウレタン糸を芯糸とし、その周囲を別の糸で被覆したＳＣＹで構成されているのが好ましい。この糸は、芯糸の周囲を別の糸で被覆しているため、肌触りをソフトで良好なものとすることができる。例えば、３０〜７０デシテックスのポリウレタン糸に３０〜９０デシテックスのナイロンフィラメント糸をカバリングしたものが使用される。
【００２２】
本発明の実施形態は、以上からなるが、本発明は、この実施形態にのみ制約されるものではなく、特許請求の範囲に記載した範囲内で自由に変更して実施することができ、例えば、丸編機で編成された生地ではなく、平編機で編成された生地を用いてもよい。
【産業上の利用可能性】
【００２３】
本発明は、婦人用アンダーシャツなどの上半身用インナーウエアに適用して好適であるが、Ｔシャツやタンクトップ、セーター類などのアウターウエアに適用してもよい。
【符号の説明】
【００２４】
１    前身頃
２    後身頃
３    袖部
４    肩部
５    バスト部
６    上部領域
７    下部領域
８    切替位置
９    裾部
１０    バージスライン
【図１】
0005616668.tif 000002